(57)【要約】      （修正有）【課題】家具用高張力支持装置の提供。【解決手段】フレーム２１、編成面２２、及びベッド面を具え、該フレームに複数の穿孔２１１が設けられ、二つの穿孔が一組とされ、該編成面は縄２２１を該穿孔に通して往復して縦横に交錯させて形成され、該ベッド面は編成面の上方に位置し、フレーム内に位置決めされ、該フレームの穿孔は斜方向を呈し、各組の少なくとも一つの穿孔が縄を掛けた木タボ２７の圧入に供され、掛けられた縄が木タボに圧迫されて穿孔内に固定され、該ベッド面は藤製２３とされ高温蒸気で膨張させた後に枠に取り付けて冷却収縮させて緊張した平坦な状態を呈するように形成される。木タボにより編成面が緊密に固定され、編成面が弛みを発生せず、ベッド面の受力を支持し、ベッド面もまた凹形断面の枠内に緊密に固定され、多重にベッド面の強度が強化され、強固で弾性を具備し、ベッド表面を平面化し寿命を延長する。【選択図】図４
0003105269.tif 000002
【実用新案登録請求の範囲】
【請求項１】
フレーム、編成面とベッド面を具え、該フレームの底部に複数の足、連結棒及び支持片が設けられ、該フレームが複数の穿孔を具え、二つの穿孔が一組とされ、該編成面は該穿孔に通された孔が往復し縦横に交錯するよう編成されてなり、該フレームの上に架設され、該ベッド面は編成面の上方に位置し、フレーム内に位置決めされた家具用高張力支持装置において、
該フレームの穿孔が斜めとされ、各組の少なくとも一つの穿孔に縄を掛けた木ピンが挿入されて縄を圧接し、縄をきつく固定して引っ張り力の方向を改変し、密集した編成面が形成され、該フレームにフレーム溝が設けられ、該フレーム溝にベッド面の周囲が圧入され、ベッド面の周囲が凹形体を呈してフレーム溝内に進入し、別に木條がフレーム溝に圧入されてベッド面をフレーム溝に圧接し、木釘により木條が位置決めされ、更に木條の上方が補填され、木條の上面、ベッド面とフレームが平坦に揃えられ、ベッド面は先に高温蒸気で膨張させられた後にフレーム溝に取り付けられ、冷却後にベッド面が収縮することによりベッド面が緊張させられて平坦状態とされ、これにより、木タボで編成面がきつく固定され、編成面が弛みを発生せず、並びにベッド面を支持し、ベッド面がきつくＵ形断面のフレーム溝内に固定され、多重にベッド面強度が強化されて強固で弾性を具備するものとされ、ベッド表面が平面化されて使用寿命が延長されたことを特徴とする、家具用高張力支持装置。
【請求項２】
請求項１記載の家具用高張力支持装置において、編成面の縄が直接一組の穿孔内に挿入され、もう一つの穿孔がＳ形態を呈し、木タボで暫時Ｓ形の縄を圧迫し木タボが穿孔底部より突出させられ、編成面の編成完成後に更に木タボが穿孔内部に打ち込まれて露出しないようにされることで、縄が更に引き伸ばされて編成面が強固にフレームに固定されたことを特徴とする、家具用高張力支持装置。
【請求項３】
請求項１記載の家具用高張力支持装置において、フレーム内に凹んだ方形溝が設けられ、該方形溝にベッド面周囲が嵌め込まれ、ベッド面とフレーム上面が揃えられ、方形溝と編成面がベッド面を支持し、ベッド面が交換可能とされ、編成面が強固で弾性を具備し、交換可能なベッド面により各タイプの使用者に適合することを特徴とする、家具用高張力支持装置。
【請求項４】
請求項１記載の家具用高張力支持装置において、ベッド面の周囲に延伸布面が設けられ、該延伸布面の下端に弾性結束帯が設けられ、延伸布面及び弾性結束帯フレーム周囲を被覆してベッド面に全体の美観性を具備させたことを特徴とする、家具用高張力支持装置。
【考案の詳細な説明】
【技術分野】
【０００１】
本考案はベッド、椅子等の家具に係り、更に詳しくは、面状を呈して弛みや凹みがなく、通気性が良好である家具用高張力支持装置に関する。
【背景技術】
【０００２】
周知のとおり、現在、ベッドに柔軟で快適であることを追求するあまり、人体骨格状態が無視されて背中の痛み等が出現することがある。且つ空気流通性が不良となりやすく、また夏に使用者のかく汗でベッドに異臭が発生しても、洗いにくく、睡眠に影響を与えることがある。
【０００３】
このため、専門家は木製ベッドを推薦し、それは人間工学に符合するが、木製ベッドも排汗性が不良で硬過ぎる状況が出現し、若者には好まれず、ゆえに市場には木製フレームで、ベッド面を藤製とした製品が提供され、それは人間工学に符合するほか（柔軟すぎずまたやや弾性を具えている）、通気性が良好で弾性により人体骨格を支持し、異臭を発生しにくく、簡単に拭き掃除でき、睡眠品質を向上できるという長所を有し、ゆえに専門家は藤製ベッドに対して非常に良好な評価を与えている。しかし藤製ベッドは長期に使用すると凹み、変形、破損を発生しやすく、そのフレームもまた変形するという状況を発生し、このため藤製ベッドの使用者は少ない。また藤製の椅子の座面にも同様の問題が発生する。
【０００４】
図１、２は伝統的な藤製ベッド１０を示し、それはフレーム１１、複数の足１２、複数のロッド１３、支持棒１４、編成面１５及び藤製面１６を具えている。該フレーム１１の内側には凹んだ内周溝１１１が設けられ、該内周溝１１１は方形を呈するように分布し、内周溝１１１に複数の穿孔１１２が設けられ、該穿孔１１２は二つが一組とされ、穿孔１１２が棕櫚線１５１の通過に供され、並びに往復して縦横に交錯するよう渡されて、棕櫚製の編成面１５が形成され、さらに既に完成した藤製面１６が編成面１５の上に敷かれ、藤製面１６の周囲がフレーム１の内周溝１１１に当接され、木條１７が藤製面１６に圧接され、さらに複数の鉄釘１８で木條１７が位置決めされ、藤製面１６が木條１７に圧着固定され、以上で組立が完成する。
【０００５】
このような藤製ベッド１０は以下のような欠点を発生する。
（１）藤製面１６はフレーム１１の内周溝１１１に設置され、内周溝１１１は凹入部であるため藤製面１６とフレーム１１に小さい段差が生じ、この段差が睡眠時に不快な感覚をもたらし、即ち、藤製面１６がフレーム１１より低いと睡眠の障害をもたらす。
（２）フレーム１１の穿孔１１２が棕櫚線１５１を通して往復させ縦横に交錯させて編成面１５を形成するのに供されるが、その引き伸ばしの程度が完全には緊張せず、編成面１５の弛緩が形成されやすく、編成面１５が弛緩すると、藤製面１６も使用時間が長くなるにつれて凹みやすくなり（図２の円弧状の凹みを参照されたい）、藤製面１６が平坦でなくなる。
（３）藤製面１６は木條１７に位置決めされるが、緊密な固定ではなく、弛みが出現しやすく、体重が重い人が急に藤製面１６に飛び乗ると、その重量に慣性力が加わり、フレーム１１の穿孔１１２付近に崩壊が発生して藤製ベッド１０が損壊することがある。
（４）編成面１５の編成密度が非常に粗く、藤製面１６の支持力が不足し、メーカーによっては編成面１５を製造せずに藤製面１６のみを製造し、人体重力及び慣性力の支持を完全に藤製面１６による支持に依存しているが、このような構造は藤製面１６の凹みと損壊の発生を加速する。
（５）機械で強力に編成面１５をフレーム１１に繋ぎ止めると、木製のフレーム１１が編成面１５の引っ張り力の不均一により数カ月後に変形を生じて足１２の高さが一致しなくなり、ベッド１１が反り上がる状況が発生し、足１２の地面１９上の支持が不安定となりぐらつくようになる。
【考案の開示】
【考案が解決しようとする課題】
【０００６】
本考案は一種の家具用高張力支持装置を提供することを目的とし、それは、フレーム内側にきつく繋留されて藤製面を支持する緊密な編成面を具え、藤製面もまた強固にフレーム内に固定され、長期に使用しても藤製面に変形を発生させない装置であるものとする。
【０００７】
本考案はまた一種の家具用高張力支持装置を提供することを目的とし、それは、高温蒸気方式で藤製面をやや膨張させてからフレーム内に組み付けることで、冷却後の藤製面の収縮にいより、藤製面をフレーム内に緊密に固定し、且つ藤製面を圧接する木條が脱落しないものとする。
【０００８】
本考案はまた一種の家具用高張力支持装置を提供することを目的とし、それは、棕櫚縄をフレームの穿孔に反復して通し、更に木タボを穿孔に圧入して反復して湾曲させた穿孔内の棕櫚縄を穿孔に圧接させ、これにより棕櫚製の編成面をきつく固定し、力を受ける方向を改変し、編成面に弛みを発生させず、藤製面に支持力と弾性力を提供できるようにしたものとする。
【０００９】
本考案はまた一種の家具用高張力支持装置を提供することを目的とし、それは、藤製面とフレームが同一平面にあり、高さの落差がなく、睡眠者に快適な睡眠を提供できるものとする。
【００１０】
本考案は更に一種の家具用高張力支持装置を提供することを目的とし、それは、きつくフレームに固定された緊密な編成面によりベッド面を支持し、柔軟で、交換でき、或いは温かいベッド面をフレーム内に位置決めでき、各タイプの使用者に適合させることができるものとする。
【００１１】
本考案の家具用高張力支持装置は、フレーム、編成面とベッド面を具え、該フレームの底部に複数の足、連結棒及び支持片が設けられ、該フレームが複数の穿孔を具え、二つの穿孔が一組とされ、該編成面は該穿孔に通された孔が往復し縦横に交錯するよう編成されてなり、該フレームの上に架設され、該ベッド面は編成面の上方に位置し、フレーム内に位置決めされている。
【００１２】
本考案の特徴は、以下のとおりである。即ち、該フレームの穿孔が斜めとされ、各組の少なくとも一つの穿孔に縄を掛けた木ピンが挿入されて縄を圧接し、縄をきつく固定して引っ張り力の方向を改変し、密集した編成面が形成され、該フレームにフレーム溝が設けられ、該フレーム溝にベッド面の周囲が圧入され、ベッド面の周囲が凹形体を呈してフレームフレーム溝内に進入し、別に木條がフレーム溝に圧入されてベッド面をフレーム溝に圧接し、木釘により木條が位置決めされ、更に木條の上方が補填され、木條の上面、ベッド面とフレームが平坦に揃えられ、ベッド面は先に高温蒸気で膨張させられた後にフレームフレーム溝に取り付けられ、冷却後にベッド面が収縮することによりベッド面が緊張させられて平坦状態とされる。これにより、木タボで編成面がきつく固定され、編成面が弛みを発生せず、並びにベッド面を支持し、ベッド面がきつくＵ形断面のフレーム溝内に固定され、多重にベッド面強度が強化されて強固で弾性を具備するものとされ、ベッド表面が平面化されて使用寿命が延長される。
【課題を解決するための手段】
【００１３】
請求項１の考案は、フレーム、編成面とベッド面を具え、該フレームの底部に複数の足、連結棒及び支持片が設けられ、該フレームが複数の穿孔を具え、二つの穿孔が一組とされ、該編成面は該穿孔に通された孔が往復し縦横に交錯するよう編成されてなり、該フレームの上に架設され、該ベッド面は編成面の上方に位置し、フレーム内に位置決めされた家具用高張力支持装置において、
該フレームの穿孔が斜めとされ、各組の少なくとも一つの穿孔に縄を掛けた木ピンが挿入されて縄を圧接し、縄をきつく固定して引っ張り力の方向を改変し、密集した編成面が形成され、該フレームにフレーム溝が設けられ、該フレーム溝にベッド面の周囲が圧入され、ベッド面の周囲が凹形体を呈してフレーム溝内に進入し、別に木條がフレーム溝に圧入されてベッド面をフレーム溝に圧接し、木釘により木條が位置決めされ、更に木條の上方が補填され、木條の上面、ベッド面とフレームが平坦に揃えられ、ベッド面は先に高温蒸気で膨張させられた後にフレーム溝に取り付けられ、冷却後にベッド面が収縮することによりベッド面が緊張させられて平坦状態とされ、これにより、木タボで編成面がきつく固定され、編成面が弛みを発生せず、並びにベッド面を支持し、ベッド面がきつくＵ形断面のフレーム溝内に固定され、多重にベッド面強度が強化されて強固で弾性を具備するものとされ、ベッド表面が平面化されて使用寿命が延長されたことを特徴とする、家具用高張力支持装置としている。
請求項２の考案は、請求項１記載の家具用高張力支持装置において、編成面の縄が直接一組の穿孔内に挿入され、もう一つの穿孔がＳ形態を呈し、木タボで暫時Ｓ形の縄を圧迫し木タボが穿孔底部より突出させられ、編成面の編成完成後に更に木タボが穿孔内部に打ち込まれて露出しないようにされることで、縄が更に引き伸ばされて編成面が強固にフレームに固定されたことを特徴とする、家具用高張力支持装置としている。
請求項３の考案は、請求項１記載の家具用高張力支持装置において、フレーム内に凹んだ方形溝が設けられ、該方形溝にベッド面周囲が嵌め込まれ、ベッド面とフレーム上面が揃えられ、方形溝と編成面がベッド面を支持し、ベッド面が交換可能とされ、編成面が強固で弾性を具備し、交換可能なベッド面により各タイプの使用者に適合することを特徴とする、家具用高張力支持装置としている。
請求項４の考案は、請求項１記載の家具用高張力支持装置において、ベッド面の周囲に延伸布面が設けられ、該延伸布面の下端に弾性結束帯が設けられ、延伸布面及び弾性結束帯フレーム周囲を被覆してベッド面に全体の美観性を具備させたことを特徴とする、家具用高張力支持装置としている。
【考案の効果】
【００１４】
本考案によると、フレームの穿孔が斜めとされ、各組の少なくとも一つの穿孔に縄を掛けた木ピンが挿入されて縄を圧接し、縄をきつく固定して引っ張り力の方向を改変し、密集した編成面が形成され、該フレームにフレーム溝が設けられ、該フレーム溝にベッド面の周囲が圧入され、ベッド面の周囲が凹形体を呈してフレーム溝内に進入し、別に木條がフレーム溝に圧入されてベッド面をフレーム溝に圧接し、木釘により木條が位置決めされ、更に木條の上方が補填され、木條の上面、ベッド面とフレームが平坦に揃えられ、ベッド面は先に高温蒸気で膨張させられた後にフレーム溝に取り付けられ、冷却後にベッド面が収縮することによりベッド面が緊張させられて平坦状態とされる。これにより、木タボで編成面がきつく固定され、編成面が弛みを発生せず、並びにベッド面を支持し、ベッド面がきつくＵ形断面のフレーム溝内に固定され、多重にベッド面強度が強化されて強固で弾性を具備するものとされ、ベッド表面が平面化されて使用寿命が延長される。
【考案を実施するための最良の形態】
【００１５】
本考案の家具用高張力支持装置は、図３、４、５に示されるように、ベッド２０に応用され、該ベッド２０は、フレーム２１、編成面２２及びベッド面を具え、該ベッド面は藤製面２３とされうる。該フレーム２１は長方形或いは方形の框体とされ、フレーム２１の下方に複数の足２４、連結棒２５及び支持片２６が設けられ、該連結棒２５は支柱２５１を具え、該支柱２５１でフレーム２１と結合され、該フレーム２１の内側近くに複数の斜めの穿孔２１１が設けられ、二つの隣り合う穿孔２１１が一組とされ、穿孔２１１は編成面２２の縄２２１を通すのに供される。図６、７に示されるように、縄２２１は穿孔２１１の上方より挿入され、更に同じ組のもう一つの穿孔２１１の下方より挿入され、木タボ２７が暫時該穿孔２１１内に挿入され、縄２２１がＳ形を呈するように木タボ２７外周に掛けられ、この時、木タボ２７は穿孔２１１底部よりやや突出し、更にネイルガンで打ち込む方式で、釘２８が木タボ２７に打ち込まれ、木タボ２７とフレーム２１が暫時位置決めされ、縄２２１が往復して縦横に交錯するよう編成されて編成面２２が形成され、密集した編成面２２が完成後（斜めに編成されて菱形とされる）、更に釘２８が抜き取られ、木タボ２７がその部分の穿孔２１１内に叩き込まれて突出しないものとされ、木タボ２７が縄２２１を穿孔２１１内に圧接させ、また縄２２１を更に引っ張る（木タボ２７の打ち込みにより縄２２１の穿孔２１１内の長さが長くなり、編成面２２が引っ張られる）。このとき、編成面２２が強固にフレーム２１内に固定され、また平坦にフレーム２１内に張られ、脱落しない。フレーム２１にはフレーム溝２１２が設けられ、該フレーム溝２１２は方形フレーム溝とされ、Ｕ形の断面を有し、藤製面２３の周囲２３１が該フレーム溝２１２に挿入され、周囲２３１もまたＵ形断面を呈して木條２９の圧入に供される。木條２９は方形フレーム体とされるか或いは４本の木條とされ、木條２９の圧入後に、木釘２１３で木條２９が固定され、さらに充填材料２９１で木條２９上方が補填され、フレーム２１の上面、補填材料２９１及び藤製面２３が同一平面を呈するものとされ、周知の藤製面とフレーム上面の段差の問題が出現しない。藤製面２３の周囲２３１がフレーム溝２１２に圧入前に、全体の藤製面２３が高温蒸気で加熱され、藤製面２３がやや膨張状態とされ、並びに膨張状態の藤製面２３が木條２９を利用してフレーム溝２１２内に圧入され、冷却後に藤製面２３が収縮することで藤製面２３が更に緊縮し、並びに平坦となり、凹凸の起伏或いは弛緩の現象が発生せず、以上で組立を完成する。
【００１６】
以上の構造による本考案の家具用高張力支持装置は、反復して実験及び使用した結果、欠点が改善されていることが実証され、編成面２２と藤製面２３の組合せ構造を強化し、編成面２２は棕櫚製品とされて藤製面２３が受ける力を支持し、編成面２２編成時には密集し弛みを発生せず、且つ穿孔２１１が斜めに設けられて木タボ２７の打ち込みが組み合わされて縄２２１の引っ張り方向が改変され、フレーム２１が縄２２１の引っ張り力を支持し、崩壊せず、木タボ２７が縄２２１をＳ字形を呈するように圧接し、縄２２１が穿孔２１１内に圧迫され、また木タボ２７が穿孔内２１１に打ち込まれることで縄２２１が再度穿孔２１１内に引き込まれて編成面２２が更に引き伸ばされ、平坦で弾力を具備するものとされ、並びにフレーム２１に緊密に固定され、ゆえに編成面２２の固定方式は多重の機能を有する。
【００１７】
次に、藤製面２３が先に高温蒸気で処理されて膨張させられた後にフレーム２１のフレーム溝２１２に組付けられ、冷却後に藤製面２３が収縮して緊張し、平坦で弛みを発生せず、且つフレーム溝２１２がＵ形断面を呈し、藤製面２３の周囲２３１もまたＵ形を呈して木條２９の圧入に供され、これにより周囲２３１が支持する力は周囲２３１の水平な底面のほかに二つの垂直な側面にも分担され、藤製面２３が更に強固にフレーム２１に固定され、並びに藤製面２３とフレーム２１の上面が同一平面にあり、睡眠者が快適に熟睡でき、周知の技術における高度の落差による睡眠品質に対する影響の問題がない。
【００１８】
本考案の別の実施例は図８、９、１０に示されるとおりであり、上述の実施例との違いは、フレーム２１内に凹んだ方形溝２１２が設けられ、該方形溝２１２は方形框体とされ、階段形の断面を呈し、ベッド面２３’の周囲が方形溝２１２に置かれ、編成面２２及び方形溝２１２がベッド面２３’を支持し、組立が完成する。このベッド面２３’は柔軟な椰子ベッド面とされ、爽やかな藤製ベッド面或いは温暖な布製ベッド面とされうる。
ベッド面２３’はフレーム２１の方形溝２１２内に嵌め込まれ、取り出して正面、背面を交換する動作が行なえるほか、洗浄、日干しを行なうことができ、藤製ベッド面、椰子ベッド面、布製ベッド面とされ、編成面２２により、支持力、弾性及び通気性が提供される。
【００１９】
本考案のベッド面３３はまた、図１１に示されるように実施可能である。該ベッド面３３はフレーム２１周辺を被覆し並びにフレーム２１下方に垂れる延伸布面３３１を具え、延伸布面３３１の下方に弾性を有する結束帯３３２が設けられ、延伸布面３３１の下方を緊縮して延伸布面３３１を位置決めするのに供され、その全体の美観を増す。
【００２０】
本考案は通気性、排汗性を有するほか、人間工学に符合して睡眠に適し、骨格を正常な状態に保持するほか、周知の技術の、藤製面が凹みやすく編成面が弛みやすい問題を解決し、ゆえに以下のような長所を有している。
１．編成面２２が密集し、周辺とフレーム２１の結合が強固であり、並びに二回の縄２２１の引き締めにより結合されているため（木タボ２７を穿孔２１１に打ち込むことで一度縄２２１が引き絞られる）、大きな衝撃に耐えることができる。
２．藤製面２３の周囲２３１とフレーム２１の結合が強固であり、藤製面２３が高温処理され、更に緊縮するため、藤製面２３が平坦である。
３．編成面２２が藤製面２３を支持して耐衝撃力が高められている。台湾国立屏東科技大学の試験報告によると、反復して本考案の藤製面２３に毎回１３０ｋｇの重量で１０万回の衝撃を与えると、その最大凹み量は５．６３９ｍｍであり、その周辺（藤製面２３周囲及び編成面２２周囲を含む）に弛みや破壊は発生せず、即ち一般の人より重い体重（１３０ｋｇは一般の人の体重を超過している）で長期に本考案を使用しても破壊の現象は発生しないことが実証された。
４．フレーム２１にかかる引っ張り力が平均し、ゆえにフレーム２１に変形が発生しない。
５．使用寿命を延長する。
６．藤製面２３とフレーム２１の上面が同一平面であり、落差がなく、睡眠者が快適である。
７．本考案は椅子面にも応用可能である。
８．ベッド面２３’は各タイプの人に適合し、交換使用でき、快適な睡眠を提供し、且つもしベッド面２３’が汚染されたり、異臭が発生すれば交換することができ、フレーム２１、編成面２２は数十年使用しても損壊しない。
【００２１】
総合すると、本考案の家具用高張力支持装置は、進歩性と実用性を具えている。
【図面の簡単な説明】
【００２２】
【図１】周知の藤製ベッドの斜視図である。
【図２】周知の藤製ベッドの断面図である。
【図３】本考案の分解斜視図である。
【図４】本考案の断面図である。
【図５】本考案の斜視図である。
【図６】本考案の編成面のフレームの穿孔への組付けの動作断面図である。
【図７】本考案の編成面のフレームの穿孔への組付けにおいて、木タボを打ち込む状態を示す断面図である。
【図８】本考案の別の実施例の分解斜視図である。
【図９】本考案の別の実施例の断面図である。
【図１０】本考案の別の実施例の斜視図である。
【図１１】本考案のベッド面の別の実施例のフレームへの組付けを示す断面図である。
【符号の説明】
【００２３】
２０  ベッド          ２２１  縄            ２６  支持片
２１  フレーム        ２３  藤製面          ２７  木タボ
２１１  穿孔          ２３１  周囲          ２８  釘
２１２  フレーム溝    ２４  足              ２９  木條
２１３  木釘          ２５  連結棒          ２９１  補填材料
２２  編成面          ２５１  支柱          ２３’  ベッド面
３３  ベッド面        ３３１  延伸布面      ３３２  結束帯
【図１】
0003105269.tif 000003
【図２】
0003105269.tif 000004
【図３】
0003105269.tif 000005
【図４】
0003105269.tif 000006
【図５】
0003105269.tif 000007
【図６】
0003105269.tif 000008
【図７】
0003105269.tif 000009
【図８】
0003105269.tif 000010
【図９】
0003105269.tif 000011
【図１０】
0003105269.tif 000012
【図１１】
0003105269.tif 000013